(57)【要約】【課題】  車椅子に載った身体障害者や背の低い子供などでも戸棚の中のものの取出しや収納を容易とする昇降引出し式戸棚を提供すること。【解決手段】  本発明の昇降引出し式戸棚１は、下側が開口した戸棚ケース１０と、戸棚ケース１０に収納され、モータ駆動によりベルト４６を巻取り巻戻しする昇降機構４０により昇降する昇降戸棚２０と、昇降戸棚２０の内側に設けられ、モータ駆動により昇降戸棚２０が下降したとき、昇降戸棚２０よりスライド駆動するスライド駆動機構５０により外側に引出される引出し棚３０とを備えることとした。【選択図】  図１
2005137830.tif 000002
【特許請求の範囲】
【請求項１】
下側が開口した戸棚ケースと、前記戸棚ケースに収納され、モータ駆動によりベルトまたはワイヤを巻取り巻戻しする昇降機構により昇降する昇降戸棚と、前記昇降戸棚の内側に設けられ、前記モータ駆動により前記昇降戸棚が下降したとき、前記昇降戸棚よりスライド駆動するスライド駆動機構により外側に引出される引出し棚とを備えたことを特徴とする昇降引出し式戸棚。
【請求項２】
前記戸棚ケースの内側側面に固定されるガイドレールと、前記ガイドレールに内装されスライド可能の内側ガイドレールと、前記内側ガイドレールに内装され前記昇降戸棚の外側側面に固定されるスライダとで構成される垂直スライド機構を備え、前記昇降戸棚は、前記垂直スライド機構に沿って前記戸棚ケースの内側を昇降することを特徴とする請求項１に記載の昇降引出し式戸棚。
【請求項３】
前記スライド駆動機構は、前記戸棚ケースと前記昇降戸棚との間に設けられた薄型モータと、前記薄型モータに平行に設けられた駆動ローラと、前記駆動ローラに掛けられたワイヤによりスライド駆動するスライド部とを備えたことを特徴とする請求項１に記載の昇降引出し式戸棚。
【発明の詳細な説明】
【技術分野】
【０００１】  本発明は、戸棚ケースに収納した昇降戸棚が昇降すると共に、昇降戸棚が下降したとき昇降戸棚の内側に設けられた引出し棚が外側に引出される昇降引出し式戸棚に関する。
【背景技術】
【０００２】  従来の戸棚には、戸棚ケースを台所の壁面上部などに設置設し、モータ駆動によりワイヤを巻取り巻戻しすることにより、戸棚ケースに収納した戸棚を戸棚ケースの下側まで昇降可能にした昇降式戸棚がある（例えば、特許文献１参照）。【０００３】
【特許文献１】      特開２００１−１１４４９７
【発明の開示】
【発明が解決しようとする課題】
【０００４】  しかしながら、従来の昇降式戸棚は、戸棚ケースに収納した戸棚を下降したとき、大人にとっては戸棚の中のものの取出しや収納が容易にできる位置となるが、下方には流し台などがあるためさらに下方に下降する構造にすることはできず、車椅子に載った身体障害者や背の低い子供などは、戸棚の中のものの取出しや収納がし難いという問題があった。
本発明は、上記に鑑みてなされたものであって、車椅子に載った身体障害者や背の低い子供などでも戸棚の中のものの取出しや収納を容易とする昇降引出し式戸棚を提供することを目的とする。
【課題を解決するための手段】
【０００５】  本発明の昇降引出し式戸棚は、下側が開口した戸棚ケースと、前記戸棚ケースに収納され、モータ駆動によりベルトまたはワイヤを巻取り巻戻しする昇降機構により昇降する昇降戸棚と、前記昇降戸棚の内側に設けられ、前記モータ駆動により前記昇降戸棚が下降したとき、前記昇降戸棚よりスライド駆動するスライド駆動機構により外側に引出される引出し棚とを備えることとした。
また、前記戸棚ケースの内側側面に固定されるガイドレールと、前記ガイドレールに内装されスライド可能の内側ガイドレールと、前記内側ガイドレールに内装され前記昇降戸棚の外側側面に固定されるスライダとで構成される垂直スライド機構を備え、前記昇降戸棚は、前記垂直スライド機構に沿って前記戸棚ケースの内側を昇降することとした。
さらに、前記スライド駆動機構は、前記戸棚ケースと前記昇降戸棚との間に設けられた薄型モータと、前記薄型モータに平行に設けられた駆動ローラと、前記駆動ローラに掛けられたワイヤによりスライド駆動するスライド部とを備えることとした。
【発明の効果】
【０００６】  本発明の昇降引出し式戸棚は、下側が開口した戸棚ケースと、前記戸棚ケースに収納され、モータ駆動によりベルトまたはワイヤを巻取り巻戻しする昇降機構により昇降する昇降戸棚と、前記昇降戸棚の内側に設けられ、前記モータ駆動により前記昇降戸棚が下降したとき、前記昇降戸棚よりスライド駆動するスライド駆動機構により外側に引出される引出し棚とを備えることとしたため、車椅子に載った身体障害者や背の低い子供などでも戸棚の中のものの取出しや収納を容易とすることができる。
また、前記戸棚ケースの内側側面に固定されるガイドレールと、前記ガイドレールに内装されスライド可能の内側ガイドレールと、前記内側ガイドレールに内装され前記昇降戸棚の外側側面に固定されるスライダとで構成される垂直スライド機構を備え、前記昇降戸棚は、前記垂直スライド機構に沿って前記戸棚ケースの内側を昇降することとしたため、昇降戸棚の昇降を戸棚ケースの下端まで円滑に行うことができる。
さらに、前記スライド駆動機構は、前記戸棚ケースと前記昇降戸棚との間に設けられた薄型モータと、前記薄型モータに平行に設けられた駆動ローラと、前記駆動ローラに掛けられたワイヤによりスライド駆動するスライド部とを備えることとしたため、薄型でモータトルクを確実に伝達し引出し棚を引出すことができる。
【発明を実施するための最良の形態】
【０００７】  以下、本発明の実施の形態の昇降引出し式戸棚につき図を用いて説明する。
【実施例１】
【０００８】  図１は、本発明の第１の実施の形態の昇降引出し式戸棚の斜視図を示し、図１（ａ）は、本発明の第１の実施の形態の昇降引出し式戸棚が壁面に取付けられたときの斜視図を示し、図１（ｂ）は、本発明の第１の実施の形態の昇降引出し式戸棚の昇降戸棚が下降したときの斜視図を示し、図１（ｃ）は、本発明の第１の実施の形態の昇降引出し式戸棚の引出し棚が外側に引出されたときの斜視図を示す。
図１に示すように、本発明の第１の実施の形態の昇降引出し式戸棚１は、下方に流し台などが設置された壁面の上方に取付けられ下側が開口した戸棚ケース１０と、戸棚ケース１０の内側に収納され、詳細を図２に示す昇降機構４０により昇降する昇降戸棚２０と、昇降戸棚２０の内側に設けられ、昇降戸棚２０が戸棚ケース１０の下端まで下降したとき、スライド駆動機構５０により外側に引出される引出し棚３０とで構成されている。【０００９】  図１（ａ）に示すように、戸棚ケース１０は、壁面の上方に取付けられている状態でも前方から取出しや収納ができるように両側に開閉する開閉扉１１が設けられている。
図１（ｂ）に示すように、戸棚ケース１０の内側に収納された昇降戸棚２０は、垂直スライド機構７０によりガイドされ、昇降機構４０により戸棚ケース１０の下端まで下降することができる。
図１（ｃ）に示すように、昇降戸棚２０の内側に設けられた引出し棚３０は、水平スライド機構６０により昇降戸棚２０の内側上面に吊下げられており、昇降戸棚２０が戸棚ケース１０の下端まで下降したとき、スライド駆動機構５０により外側に引出すことができる。【００１０】  図２は、本発明の第１の実施の形態の昇降引出し式戸棚に設けられる昇降機構の側面図を示す。
図２に示すように、昇降機構４０は、軸４４ａを介し駆動ローラ４１が取付けられた駆動モータ４４と、ガイドローラ４２、４３とが戸棚ケース１０の内側上面に取付けられ、ベルト係止部４５ａ、４５ｂとが昇降戸棚２０の外側上面に取付けられている。ベルト４６ａは、一端がベルト係止部４５ａに係止し、他端が駆動ローラ４１に係止し、ベルト４６ｂは、一端がベルト係止部４５ｂに係止し、他端が駆動ローラ４１に係止している。そのため、昇降戸棚２０は、駆動ローラ４１が駆動モータ４４により矢印Ｕに示すように正転し、ベルト４６ａ、４６ｂを巻き取ったとき、上昇し、駆動ローラ４１が駆動モータ４４により矢印Ｄに示すように逆転し、ベルト４６ａ、４６ｂを巻き戻したとき、下降する。【００１１】  図３は、本発明の第１の実施の形態の昇降引出し式戸棚に設けられるスライド駆動機構の平面図と断面図を示し、図３（ａ）は、スライド駆動機構の一部を切り欠いた平面図を示し、図３（ｂ）は、スライド駆動機構の一部断面図を示す。
図３（ａ）に示すように、スライド駆動機構５０は、長手方向に沿って側面にスリット５２が形成された長方形状の筺体５１と、筺体５１に内装されスリット５２に沿ってスライド可能のスライド部５７と、スライド部５７をスライド可能に駆動するスライド駆動部５０ａで構成されている。【００１２】  スライド駆動部５０ａは、筺体５１の長手方向の一方の端部に回動自在に取付けられた駆動ローラ５３と、他方の端部に回転自在に取付けられたローラ５５と、駆動ローラ５３とローラ５５に掛けられ一方の端がスライド部５７の一方に固定され、他方の端がスライド部５７の他方に固定されたワイヤ５６とで構成されている。駆動ローラ５３は、筺体５１に形成された長穴（図示せず）にシャフト５３ａにより取付けられ、ローラ５５は、筺休５１に形成された長穴５４にシャフト５５ａにより取付けられている。駆動ローラ５３には、一端がシャフト５３ａに取付けられ他端が筺体５１の端部に取付けられたスプリング５３ｂが取付けられ、ローラ５５にも同様にスプリング（図示せず）が取付けられている。また、スライド駆動機構５０の下側は、スライド部５７に取付けられた取付ブラケット５８を介し、引出し棚３０が取付けられている。ワイヤ５６は、駆動ローラ５３に二重に掛けられ、途中にテンションスプリング５６ａが取付けられている。【００１３】  図３（ｂ）に示すように、筺体５１は、内部にスライド部５７とスライド駆動部５０ａとを内装するために長手方向で沿って筺体５１ａと筺体５１ｂとが分割可能に形成され、筺体５１ａと筺体５１ｂとは図３（ａ）に示す固定ブラケット５１ｃにより互いに固定されている。
スライド駆動機構５０の上側は、駆動ローラ５３側では薄型の駆動モータ５９を介し昇降戸棚２０の外側下面に固定され、ローラ５５側では取付ブラケット（図示せず）を介し昇降戸棚２０の外側下面に固定されている。スライド駆動機構５０の下側には、上記したように引出し棚３０が取付けられている。【００１４】  そのため、スライド駆動装置５０は、スライド駆動部５０ａによりスライド部５７が筺体５１に形成されスリット５２に沿ってスライドし、スライド部５７に取付けられた引出し棚３０をスライド駆動することができる。
また、スライド駆動部５１ａは、駆動ローラ５３にワイヤ５６を二重に掛けているため、ワイヤ５６が駆動ローラ５３で滑ることはなく、駆動モータよりのトルクを確実に伝達することができる。また、駆動ローラ５３にはワイヤ５６をさらに多く巻きつけるようにすることもできる。【００１５】  図４は、本発明の第１の実施の形態の昇降引出し式戸棚に設けられる水平スライド機構の正面図を示す。
図４に示すように、水平スライド機構６０は、外側ガイドレール６１と、外側ガイドレール６１にスライド可能に内装される内側ガイドレール６２と、スライダ６３とで構成され、外側ガイドレール６１は、下側両端にローラ受部６１ａが形成された断面がチャンネル形状に形成され、内側ガイドレール６２は、断面がチャンネル形状に形成され、スライダ６３に軸６４ａにより回転自在に取り付けられたローラ６４が、スライダ６３とともに内部に取付けられている。そのため、ローラ６４がローラ受部６１ａの上を回転し、スライダ６３は内部に沿って移動することができる。
また、水平スライド機構６０は、外側ガイドレール６１により昇降戸棚２０の内側下面に固定され、スライダ６３に引出し棚３０の外側上面が固定され、引出し棚３０は、昇降戸棚２０の内側上面にスライド可能に吊下げられている。ローラ６４は内側ガイドレール６２の内側に沿って少なくとも３個以上設けられているため、内側ガイドレール６２は外側ガイドレール６１の外側に引出すことができ、従って、引出し棚３０を昇降戸棚２０より外側に引出しをすることができる。また、外側ガイドレール６１と内側ガイドレール６２との隙間の間で、内側ガイドレール６２の後端に設けたストッパ（図示せず）により所定値以上に引出されないようにすることができる。【００１６】  図５は、本発明の第１の実施の形態の昇降引出し式戸棚に設けられる垂直スライド機構の平面図と側面図を示し、図５（ａ）は、垂直スライド機構の平面図を示し、図５（ｂ）は、垂直スライド機構の側面図を示す。
図５（ａ）に示すように、垂直スライド機構７０は、戸棚ケース１０の内側側面と昇降戸棚２０の外側側面との間に設けられ、断面がチャンネル形状の外側ガイドレール７１と、外側ガイドレール７１に内装されスライド可能の同じく断面がチャンネル形状の内側ガイドレール７２と、内側ガイドレール７２に内装されスライド可能のスライダ７３とで構成されている。また、垂直スライド機構７０は、外側ガイドレール７１により戸棚ケース１０の内側側面に固定され、スライダ７３により昇降戸棚２０の外側側面に固定され、昇降戸棚２０は、垂直スライド機構７０に沿って戸棚ケース１０の内側を昇降することができる。【００１７】  図５（ｂ）に示すように、昇降戸棚２０が、垂直スライド機構７０に沿って戸棚ケース１０の内側を下降したとき、内側ガイドレール７２の上端に設けられたストッパ７５が戸棚ケース１０の内側側面に設けられたストッパピン７６に当接し、昇降戸棚２０の外側側面に設けられたストッパピン７８が内側ガイドレール７２の下端に設けられたストッパ７７に当接する。そのため、昇降戸棚２０は、内側を下降したとき、垂直スライド機構７０により固定状況となる。【００１８】  本発明の第１の実施の形態の昇降引出し式戸棚を利用するときには、予め近辺に設置された操作装置（図示せず）の下降スイッチが操作されることにより、戸棚ケース１０の内側に収納された昇降戸棚２０が垂直スライド機構７０によりガイドされ、昇降機構４０により戸棚ケース１０の下端まで下降することができ、さらに、操作装置の引出しスイッチが操作されることにより、昇降戸棚２０の内側に設けられた引出し棚３０をスライド駆動機構５０により外側に引出すことができる。また、逆の動作により昇降戸棚２０と引出し棚３０とを戸棚ケース１０に収納することができる。【００１９】  以上述べたように、本発明の第１の実施の形態の昇降引出し式戸棚は、戸棚ケース１０に収納された昇降戸棚２０が下降したとき、昇降戸棚２０の内側に設けられた引出し棚３０が外側に引出されるため、車椅子に載った身体障害者や背の低い子供などでも戸棚の中のものの取出しや収納を容易とすることができる。
【実施例２】
【００２０】  図６は、本発明の第２の実施の形態の昇降引出し式戸棚の斜視図を示し、図６（ａ）は、本発明の第２の実施の形態の昇降引出し式戸棚が壁面に取付けられたときの側面図を示し、図６（ｂ）は、本発明の第２の実施の形態の昇降引出し式戸棚の昇降戸棚が下降したときの側面図を示し、図６（ｃ）は、本発明の第２の実施の形態の昇降引出し式戸棚の引出し棚が外側に引出されたときの側面図を示す。
図６に示すように、本発明の第２の実施の形態の昇降引出し式戸棚１０１は、下方に流し台などが設置された壁面の上方に取付けられ下側が開口した戸棚ケース１１０と、戸棚ケース１１０の内側に収納され、昇降引出し機構１４０により昇降する昇降戸棚１２０と、昇降戸棚１２０の内側に収納され、昇降戸棚１２０が戸棚ケース１０の下端まで下降したとき、昇降引出し機構１４０とスライド機構１５０により外側に引出される引出し棚１３０とで構成されている。図６では、昇降引出し式戸棚１０１は、側面を切り欠いた図を示す。【００２１】  図６（ａ）に示すように、戸棚ケース１１０は、昇降引出し機構１４０と、壁面の上方に取付けられている状態でも前方から取出しや収納ができるように前側に開閉する開閉扉１１１とが設けられている。
昇降引出し機構１４０は、戸棚ケース１１０の内側の両側面側にそれぞれ設けられ、戸棚ケース１１０の内側側面に取付けられる駆動モータ１４４により回転駆動する駆動ローラ１４１と、昇降戸棚１２０の外側側面に取付けられるガイドローラ１４２と、戸棚ケース１１０の内側側面に取付けられるガイドローラ１４３と、昇降戸棚１２０の外側の側面端部に取付けられるガイドローラ１４５と、ベルト１４６とで構成されている。ベルト１４６は、一端が駆動ローラ１４１に係止し、ガイドローラ１４２、１４３、１４５に掛けられ、他端がスライド機構１５０のスライタ１４７に係止している。
スライド機構１５０は、昇降戸棚１２０の両側面に設けられ、斜めに形成されたスライド部１４８と、スライド部１４８に内装され昇降戸棚１２０の内側に収納された引出し棚１３０の側面の固定されたスライダ１４７とで構成されている。
そのため、昇降戸棚１２０は、駆動ローラ１４１が駆動モータ１４４により正転し、ベルト１４６を巻き取ったとき、上昇し、逆転しベルト１４６を巻き戻したとき、下降する。
図６（ｂ）に示すように、戸棚ケース１１０の内側に収納された昇降戸棚１２０は、駆動ローラ１４１がベルト１４６を巻き戻したとき、戸棚ケース１１０と昇降戸棚１２０との隙間に設置された垂直スライド機構（図示せず）によりガイドされ、戸棚ケース１１０の下端まで下降して停止し、垂直スライド機構に設けたストッパ（図示せず）により固定状態となる。
図６（ｃ）に示すように、昇降戸棚１２０の内側に収納された引出し棚１３０は、昇降引出し機構１４０により昇降戸棚１２０が戸棚ケース１１０の下端まで下降したとき、駆動ローラ１４１によりベルト１４６が巻き戻され、スライド部１４８に沿ってスライダ１４７がスライドし、昇降引出し機構１４０とスライド機構１５０とにより引出し棚１３０が外側に引出される。【００２２】  以上述べたように、本発明の第２の実施の形態の昇降引出し式戸棚は、１個の駆動モータ１４４の駆動により、戸棚ケース１１０に収納された昇降戸棚１２０が下降したとき、昇降戸棚１２０の内側に設けられた引出し棚１３０が外側に引出され、車椅子に載った身体障害者や背の低い子供などでも戸棚の中のものの取出しや収納を容易とすることができる。
なお、本発明の第２の実施の形態の昇降引出し式戸棚では、ベルト１４６は、一端が駆動ローラ１４１に係止し、ガイドローラ１４２、１４３、１４５に掛けられ、他端がスライタ１４７に係止しているが、一端が駆動ローラ１４１に係止し、ガイドローラ１４２、１４３、１４５に掛けられた後に、他端を引出し棚１３０の外側側面の前方に取付けたガイドローラに掛けて折返して昇降戸棚１２０の内側側面に係止するようにすることもできる。これにより、昇降戸棚１２０が戸棚ケース１１０の下端まで下降したとき、ベルト１４６がさらに巻き戻されることにより、スライド部１４８に沿ってスライダ１４７がスライドし、引出し棚１３０が外側に引出されることができる。
また、本発明の第１、２の実施の形態の昇降引出し式戸棚は、流し台の上方に設けられる例につき説明したが、これに限定することなく、他の棚類についての同様のことを行うことができる。
また、本発明の第１の実施の形態の昇降引出し式戸棚の引出し棚３０は、上面にスライド駆動装置５０と水平スライド機構６０とを設けることとしたが、これに限定することなく、下面に設けることもでき、また、水平スライド機構６０を両側面に１個ずつ設け、側面または他の面にスライド駆動装置５０を設けるようにすることもできる。
さらに、本発明の第１、２の実施の形態の昇降引出し式戸棚は、昇降引出し機構１４０と昇降機構４０にベルトを使用することとしたが、ワイヤなどを使用することもできる。
【図面の簡単な説明】
【００２３】
【図１】  本発明の第１の実施の形態の昇降引出し式戸棚の斜視図を示し、図１（ａ）は、本発明の第１の実施の形態の昇降引出し式戸棚が壁面に取付けられたときの斜視図を示し、図１（ｂ）は、本発明の第１の実施の形態の昇降引出し式戸棚の昇降戸棚が下降したときの斜視図を示し、図１（ｃ）は、本発明の第１の実施の形態の昇降引出し式戸棚の引出し棚が外側に引出されたときの斜視図を示す。
【図２】  本発明の第１の実施の形態の昇降引出し式戸棚に設けられる昇降機構の側面図を示す。
【図３】  本発明の第１の実施の形態の昇降引出し式戸棚に設けられるスライド駆動機構の平面図と断面図を示し、図３（ａ）は、スライド駆動機構の一部を切り欠いた平面図を示し、図３（ｂ）は、スライド駆動機構の一部断面図を示す。
【図４】  本発明の第１の実施の形態の昇降引出し式戸棚に設けられる水平スライド機構の正面図を示す。
【図５】  本発明の第１の実施の形態の昇降引出し式戸棚に設けられる垂直スライド機構の平面図と側面図を示し、図５（ａ）は、垂直スライド機構の平面図を示し、図５（ｂ）は、垂直スライド機構の側面図を示す。
【図６】  本発明の第２の実施の形態の昇降引出し式戸棚が壁面に取付けられたときの側面図を示し、図６（ｂ）は、本発明の第２の実施の形態の昇降引出し式戸棚の昇降戸棚が下降したときの側面図を示し、図６（ｃ）は、本発明の第２の実施の形態の昇降引出し式戸棚の引出し棚が外側に引出されたときの側面図を示す。
【符号の説明】
【００２４】  １、１０１  昇降引出し式戸棚
１０、１１０  戸棚ケース
２０、１２０  昇降戸棚
３０、１３０  引出し棚
４０  昇降機構
４１、１４１  駆動ローラ
４２、４３、１４２、１４３、１４５  ガイドローラ
４４、１４４  駆動モータ
４６ａ、４６ｂ、１４６  ベルト
５０  スライド駆動機構
５１  筺体
５３  駆動ローラ
５５  ローラ
５６  ワイヤ
５７  スライド部
５９  薄型の駆動モータ
６０  水平スライド機構
６１  外側ガイドレール
６２  内側ガイドレール
６３  スライダ
６４  ローラ
７０  垂直スライド機構
７１  外側ガイドレール
７２  内側ガイドレール
７３、１４７  スライダ
１４０  昇降引出し機構
１５０  スライド機構
１４８  スライド部
【図１】
2005137830.tif 000003
【図２】
2005137830.tif 000004
【図３】
2005137830.tif 000005
【図４】
2005137830.tif 000006
【図５】
2005137830.tif 000007
【図６】
2005137830.tif 000008